(57)【要約】【課題】スライド式のスイッチにおけるスライドスイッチ操作部のガタツキを抑制し、滑らかに動作可能なスイッチを提供すること。【解決手段】基板の端部に実装され、前記基板の表面に沿ってつまみ部がスライドすることで作動するスライドスイッチと、前記基板の端部と前記基板を覆うケースとの間に前記つまみ部のスライド方向に移動可能に設けられ、前記ケースの開口部から露出するノブが操作されてスライドすることで前記スライドスイッチを操作するスライドスイッチ操作部と、を有し、前記スライドスイッチ操作部は、前記基板の表面に対して略垂直、且つ、一方の面が前記ケースの内壁に沿って設けられる板状のベース部と、前記ベース部の他方の面に設けられ、前記つまみ部を挟持するつまみ挟持部と、前記ベース部の前記他方の面に設けられ、前記つまみ挟持部との間で前記基板を挟み込む基板挟持部と、を有するスイッチ。【選択図】図８
2014063647.tif 000002
【特許請求の範囲】
【請求項１】
基板の端部に実装され、前記基板の表面に沿ってつまみ部がスライドすることで作動するスライドスイッチと、
前記基板の端部と前記基板を覆うケースとの間に前記つまみ部のスライド方向に移動可能に設けられ、前記ケースの開口部から露出するノブが操作されてスライドすることで前記スライドスイッチを操作するスライドスイッチ操作部と、
を有し、
前記スライドスイッチ操作部は、
前記基板の表面に対して略垂直、且つ、一方の面が前記ケースの内壁に沿って設けられる板状のベース部と、
前記ベース部の他方の面に設けられ、前記つまみ部を挟持するつまみ挟持部と、
前記ベース部の前記他方の面に設けられ、前記つまみ挟持部との間で前記基板を挟み込む基板挟持部と、
を有することを特徴とするスイッチ。
【請求項２】
前記スライドスイッチ操作部は、前記ベース部の前記つまみ挟持部と前記基板挟持部との間に、軸方向が前記スライド方向に平行な半円筒状に突出する基板接触リブを有する
ことを特徴とする請求項１に記載のスイッチ。
【請求項３】
前記ケースは、前記ベース部の前記他方の面に接触して前記ベース部を支持するベース支持部を有する
ことを特徴とする請求項１又は２に記載のスイッチ。
【請求項４】
前記つまみ挟持部は、前記ベース部から突出する部分の長さが、前記基板挟持部が前記ベース部から突出する部分の長さ以上である
ことを特徴とする請求項１から３の何れか一項に記載のスイッチ。
【請求項５】
前記スライドスイッチ操作部は、前記ベース部の前記一方の面に設けられ、軸方向が前記スライド方向に略平行な半円筒状に突出して前記ケースに接触するケース接触リブを有する
ことを特徴とする請求項１から４の何れか一項に記載のスイッチ。
【請求項６】
前記スライドスイッチ操作部は、前記ケース接触リブの両端部から、軸方向が前記スライド方向に略垂直な半円筒状に延びて前記開口部を封止する開口封止リブを有する
ことを特徴とする請求項５に記載のスイッチ。
【請求項７】
請求項１から５の何れか一項に記載のスイッチを有することを特徴とする電子機器。
【発明の詳細な説明】
【技術分野】
【０００１】
本発明は、スイッチ及び電子機器に関する。
【背景技術】
【０００２】
電子機器の中には、基板上に設けられているスライドスイッチと、ケースの外部に露出するノブにより当該スライドスイッチを操作するスライドスイッチ操作部とを有するスイッチがある（例えば、特許文献１参照）。
【０００３】
この様な電子機器のスイッチにおいて、例えばスライドスイッチ操作部をスライドスイッチが実装されている基板とケースの内壁との間で挟持し、さらにケース内壁に設けられているリブでスライドスイッチ操作部を上部から支持する構成が知られている。この様な構成によれば、スライドスイッチ操作部のスライド時におけるガタツキを抑制することができる。
【先行技術文献】
【特許文献】
【０００４】
【特許文献１】特開平２−６５０１８号公報
【発明の概要】
【発明が解決しようとする課題】
【０００５】
しかしながら、上記した様な構成では、例えば樹脂性のケースを押圧した状態でスライドスイッチ操作部のノブを動かす際に、ケース内壁に設けられているリブがスライドスイッチ操作部を押圧するためスライド動作が重くなり、スイッチの操作が困難になる場合がある。
【０００６】
本発明は上記に鑑みてなされたものであって、スライド式のスイッチにおけるスライドスイッチ操作部のガタツキを抑制し、滑らかに動作可能なスイッチを提供することを目的とする。
【課題を解決するための手段】
【０００７】
本発明の一態様のスイッチによれば、
基板（４）の端部に実装され、前記基板（４）の表面に沿ってつまみ部がスライドすることで作動するスライドスイッチ（４３）と、
前記基板（４）の端部と前記基板（４）を覆うケース（１）との間に前記つまみ部のスライド方向に移動可能に設けられ、前記ケース（１）の開口部（１４）から露出するノブ（５１）が操作されてスライドすることで前記スライドスイッチ（４３）を操作するスライドスイッチ操作部（５）と、
を有し、
前記スライドスイッチ操作部（５）は、
前記基板（４）の表面に対して略垂直、且つ、一方の面が前記ケース（１）の内壁に沿って設けられる板状のベース部（５０）と、
前記ベース部（５０）の他方の面に設けられ、前記つまみ部を挟持するつまみ挟持部（５２）と、
前記ベース部（５０）の前記他方の面に設けられ、前記つまみ挟持部（５２）との間で前記基板（４）を挟み込む基板挟持部（５３）と、
を有する。
【０００８】
なお、上記参照符号は、あくまでも参考であり、これによって特許請求の範囲の記載が限定されるものではない。
【発明の効果】
【０００９】
本発明の実施形態によれば、スライド式のスイッチにおけるスライドスイッチ操作部のガタツキを抑制し、滑らかに動作可能なスイッチを提供できる。
【図面の簡単な説明】
【００１０】
【図１】実施形態に係る電子機器を例示する斜視図である。
【図２】実施形態に係る電子機器を例示する分解斜視図である。
【図３】実施形態に係る電子機器を例示する他の方向からの分解斜視図である。
【図４】実施形態に係るスライドスイッチ操作部を例示する斜視図である。
【図５】実施形態に係るスライドスイッチ操作部の正面図である。
【図６】実施形態に係るスライドスイッチ操作部の背面図である。
【図７】実施形態に係るスライドスイッチ操作部の側面図である。
【図８】実施形態に係る電子機器を例示する要部断面図である。
【発明を実施するための形態】
【００１１】
以下、図面を参照して発明を実施するための形態について説明する。各図面において、同一構成部分には同一符号を付し、重複した説明を省略する場合がある。
【００１２】
以下では、本実施形態に係る電子機器１００として、電力線を通信回線として利用する技術ＰＬＣ（Ｐｏｗｅｒ  Ｌｉｎｅ  Ｃｏｍｍｕｎｉｃａｔｉｏｎ）を実現可能にする電力線通信アダプタ装置を例に説明する。
【００１３】
＜電子機器の構成＞
図１は、実施形態に係る電子機器１００を例示する図であり、図１（ａ）及び（ｂ）はそれぞれ異なる方向からの斜視図である。また、図２及び図３は、それぞれ実施形態に係る電子機器１００を例示する異なる方向からの分解斜視図である。なお、図中に示すＸ方向は電子機器１００の幅方向、Ｙ方向は奥行き方向、Ｚ方向は高さ方向を示す。
【００１４】
図１に示す様に、電子機器１００は、上ケース１、下ケース２を有する。また、図２及び図３に示す様に、電子機器１００は、上ケース１と下ケース２との間に、スイッチ操作部３、基板４、スライドスイッチ操作部５を有する。
【００１５】
上ケース１は、内部に収容する基板上のスイッチ本体を押下するためのボタン３１を露出させる開口部１０、内部の基板に設けられているＬＥＤから照射される光を透過して電子機器１００の状態を表示する表示部１１〜１３を有する。また、上ケース１は、スライドスイッチを操作するノブ５１のための開口部１４、リセットスイッチを押下するためのリセットスイッチ孔１５、ＬＡＮケーブル挿入口を露出させるための切り欠き部１６を有する。
【００１６】
下ケース２は、コンセント等に挿入されるプラグ２１を有し、電子部品等が実装された基板４が固定され、上ケース１とネジ止め等によって嵌合することで上ケース１との間で基板４を収容する。
【００１７】
プラグ２１は、図２及び図３に示す様に、樹脂製の下ケース２にモールド固定されており、プラグ２１の一端８０，８１は、基板４に設けられている貫通孔７８，７９に挿通されて基板４の表面に突出する。貫通孔７８，７９の近傍には、接点端子７６，７７が実装されており、接点端子７６，７７は、貫通孔７８，７９から突出するプラグ２１の一端８０，８１を挟み込んで弾性的に接触して電気的に接続する。プラグ２１を介して入出力される通信信号は、接点端子７６，７７から基板４上に実装されている通信信号処理回路にて適宜処理され、ＬＡＮケーブルを介して種々の電子機器と通信することができる。
【００１８】
スイッチ操作部３は、上ケース１の開口部１０から外部に露出するボタン３１を有し、上ケース１に例えばネジ７１，７２により固定される。スイッチ操作部３は、外部に露出するボタン３１が押下された時に、基板４に設けられているタクティールスイッチ４１を押下する柱状のスイッチ押下部３２をボタン３１の背面に有する。
【００１９】
基板４は、スイッチ操作部３により押下されて作動するタクティールスイッチ４１、リセットスイッチ４２、スライドスイッチ４３、ＬＥＤ４４〜４６を有する。スライドスイッチ４３は、基板４の端部に実装され、基板４の表面に沿ってスライドすることで作動する。ＬＥＤ４４〜４６が照射する光は、図３に示す導光部材６によって、上ケース１の表示部１１〜１３に導かれる。基板４は、例えばネジ７３，７４，７５により下ケース２に固定される。
【００２０】
スライドスイッチ操作部５は、基板４の端部と、基板を覆う上ケース１及び下ケース２との間に、図中Ｙ方向に移動可能に設けられる。また、スライドスイッチ操作部５は、上ケース１の開口部１４から外部に露出するノブ５１を有し、ノブ５１が操作されて図中Ｙ軸方向にスライドされた時に、スライドスイッチ４３のつまみ部をスライドさせてスイッチを作動させる。
【００２１】
＜スライドスイッチ操作部の構成＞
次に、スライドスイッチ操作部５の構成について図面に基づいて説明する。
【００２２】
スライドスイッチ操作部５は、図２及び図３に示す様に、基板４の端部と、基板を覆う上ケース１及び下ケース２の内側面との間に、スライドスイッチ４３のつまみ部のスライド方向（図中Ｙ軸方向）に移動可能に設けられている。スライドスイッチ操作部５は、上ケース１の開口部１４から露出するノブ５１が操作されて移動することで、スライドスイッチ４３のつまみ部をスライドさせる。
【００２３】
図４は、実施形態に係るスライドスイッチ操作部５を例示する斜視図であり、図４（ａ）は前面から、図４（ｂ）は背面からの斜視図である。また、図５にスライドスイッチ操作部５の正面図、図６に背面図、図７に側面図をそれぞれ例示する。
【００２４】
図４等に示す様に、スライドスイッチ操作部５は、基板４の表面に対して略垂直、且つ、一方の面が上ケース１及び下ケース２の内側面に沿って設けられる板状のベース部５０を有する。また、スライドスイッチ操作部５は、ベース部５０の上ケース１及び下ケース２の内側面に沿って設けられる面に、ノブ５１、下ケース側面接触リブ５５、上ケース接触リブ５６、開口封止リブ５７、下ケース底面接触リブ５８を有する。さらに、スライドスイッチ操作部５は、ベース部５０の基板４側に設けられる面に、つまみ挟持部５２、基板挟持部５３、基板接触リブ５４を有する。
【００２５】
ノブ５１は、上ケース１の開口部１４から外部に露出し、電子機器１００のユーザが掴んでスライドスイッチ操作部５をスライドさせるのに用いられる。
【００２６】
下ケース側面接触リブ５５は、下ケース２の内側面に接触する部分であり、軸方向が図中Ｙ方向に移動するスライドスイッチ操作部５のスライド方向に平行な半円筒状にベース部５０から下ケース２内面側に突出する様に設けられている。
【００２７】
また、上ケース接触リブ５６は、上ケース１の内側面に接触する部分であり、軸方向が図中Ｙ方向に移動するスライドスイッチ操作部５のスライド方向に平行な半円筒状にベース部５０から上ケース１内面側に突出する様に設けられている。
【００２８】
下ケース底面接触リブ５８は、下ケース２の内側底面に接触する部分であり、軸方向が図中Ｙ軸方向に移動するスライドスイッチ操作部５のスライド方向と直交する方向にベース部５０から下ケース２の内側底面に突出する様に設けられている。
【００２９】
この様に、スライドスイッチ操作部５は、下ケース側面接触リブ５５及び下ケース底面接触リブ５８で下ケース２と接触し、上ケース接触リブ５６で上ケース１と接触する。スライドスイッチ操作部５は、下ケース側面接触リブ５５、下ケース底面接触リブ５８及び上ケース接触リブ５６がケースと接触して移動することで、ベース部５０が直接ケースに接触して移動する場合に比べて接触面積が低減され、スライド方向への滑らかな移動が可能になっている。
【００３０】
また、上ケース接触リブ５６の両端部には、開口封止リブ５７が設けられている。開口封止リブ５７は、上ケース接触リブ５６のＹ方向両端部に、軸方向がスライドスイッチ操作部５のスライド方向に略垂直な半円筒状にベース部５０から上ケース１内面側に突出する様に設けられている。開口封止リブ５７は、上ケース接触リブ５６と共に、上ケース１の内側面との間で上ケース１の開口部１４を封止する。開口封止リブ５７及び上ケース接触リブ５６により、上ケース１の開口部１４から上ケース１及び下ケース２の内部に塵等が侵入し、基板４等に付着するのを防止できる。なお、本実施形態では、図５に示す様に上ケース接触リブ５６及び開口封止リブ５７が、ベース部５０の上端部を縁取る様に形成されているが、この様な構成に限るものではなく、上ケース１及び開口部１４の形状に併せて適宜設計できる。また、下ケース側面接触リブ５５の両端部にも開口封止リブを設けても良い。上ケース１及び下ケース２の内部への塵等の侵入をより確実に防止できる。
【００３１】
つまみ挟持部５２は、ベース部５０の基板４側の面に、基板４のスライドスイッチ４３のつまみ部に対応する位置に設けられ、基板４上のスライドスイッチ４３のつまみ部を挟持する２つの突起部である。スライドスイッチ操作部５は、ノブ５１が電子機器１００のユーザによりスライド方向に移動された時に、つまみ挟持部５２がスライドスイッチ４３のつまみ部を共にスライドさせることでスライドスイッチ４３を作動させる。
【００３２】
基板挟持部５３は、ベース部５０の基板４側の面に設けられている２つの突起部であり、つまみ挟持部５２との間で基板４を挟み込んで挟持する。基板挟持部５３は、図６に示す様に、ベース部５０の基板４側の面のＹ方向両端部に２つの突起状のリブとして設けられているが、つまみ挟持部５２との間で基板４を挟持できれば、この位置、数及び形状に限るものではない。
【００３３】
また、基板挟持部５３は、図７に示す様に、ベース部５０から基板４側に突出する部分の長さＬ１が、つまみ挟持部５２がベース部５０から基板４側に突出する部分の長さＬ２以上になる様に設けられている。この様な構成により、スライドスイッチ操作部５の図中Ｘ方向へのガタツキを防止し、基板４がスライドスイッチ操作部５をより安定して支持することが可能になる。
【００３４】
基板接触リブ５４は、つまみ挟持部５２と基板挟持部５３との間に設けられ、軸方向がスライドスイッチ操作部５のスライド方向に平行な半円筒状に突出するリブである。スライドスイッチ操作部５は、基板接触リブ５４を有することにより、ベース部５０が基板４に直接接触する場合に比べて基板４との接触面積が低減され、スライド方向への滑らかな移動が可能になっている。
【００３５】
スライドスイッチ操作部５は、以上で説明したベース部５０、ノブ５１、つまみ挟持部５２、基板挟持部５３、基板接触リブ５４、下ケース側面接触リブ５５、下ケース底面接触リブ５８、上ケース接触リブ５６、開口封止リブ５７が一体成型されている。
【００３６】
ここで、スライドスイッチ操作部５の下ケース側面接触リブ５５、下ケース底面接触リブ５８、上ケース接触リブ５６、基板接触リブ５４がそれぞれ上ケース１、下ケース２及び基板４に接触する部分は、例えば金型で成型する場合において、金型の各部に対応する部分を研磨等することにより、表面粗さを低減させることが好ましい。スライドスイッチ操作部５が、より滑らかに動作することが可能になる。また、同様に上ケース１及び下ケース２がそれぞれ上ケース接触リブ５６、下ケース側面接触リブ５５に接触する各部に対応する金型の部分を研磨することが好ましい。スライドスイッチ操作部５が、さらに滑らかに動作することが可能になる。
【００３７】
図８は、実施形態に係る電子機器１００の要部断面図であり、スライドスイッチ操作部５のつまみ挟持部５２の間を通るＸＺ断面図である。
【００３８】
図８に示す様に、スライドスイッチ操作部５は、基板４の端部と上ケース１及び下ケース２の内側面との間で、上ケース１、下ケース２及び基板４により図中Ｙ方向に移動可能に支持されている。また、スライドスイッチ操作部５は、挟み込むつまみ挟持部５２及び基板挟持部５３が基板４を挟み込むによって、基板４に支持されている。さらに、スライドスイッチ操作部５は、上ケース１に設けられている支持部１７によってベース部５０が支持されている。また、下ケース２にはＹ軸方向に直線状にガイド部１８が形成されており、ガイド部１８に下ケース底面接触リブ５８がガイドされている。スライドスイッチ操作部５は、この様に上ケース１、下ケース２及び基板４により支持され、ガイド部１８によって動作がガイドされることで、スライド動作時における例えばＸ方向へのガタツキが低減されている。
【００３９】
また、スライドスイッチ操作部５は、上ケース１、下ケース２及び基板との接触部にそれぞれ上ケース接触リブ５６、下ケース側面接触リブ５５及び基板接触リブ５４を有することで、スライド動作時においてガタツキが生じることなく、滑らかに動作することが可能になっている。
【００４０】
なお、スライドスイッチ操作部５の上端部と上ケース１の支持部１７との間には間隙Ｓを有し、例えば上ケース１及び下ケース２が挟まれて押圧された状態でもスライドスイッチ操作部５が上ケース１の支持部１７に接触しない様に設けられている。したがって、例えば上ケース１及び下ケース２がＺ方向に押圧された状態であっても、スライドスイッチ操作部５のスライド動作が重くなることが無い。
【００４１】
以上で説明した実施形態によれば、スライドスイッチ操作部５のスライド動作時におけるガタツキを抑制し、滑らかに動作可能なスライド式のスイッチ及びこのスイッチを備える電子機器１００を実現できる。
【００４２】
なお、上記した実施形態では、電子機器１００として電力線通信アダプタ装置を例に挙げて説明したが、本発明はこれに限定されるものではなく、他の様々な電子機器への適用等、本発明の範囲内で種々の変形及び改良が可能である。
【符号の説明】
【００４３】
１  上ケース（ケース）
２  下ケース（ケース）
４  基板
５  スライドスイッチ操作部
１４  開口部
１７  支持部（ベース支持部）
４３  スライドスイッチ
５０  ベース部
５１  ノブ
５２  つまみ挟持部
５３  基板挟持部
５４  基板接触リブ
５５  下ケース側面接触リブ
５６  上ケース接触リブ
５７  開口封止リブ
１００  電子機器
【図１】
2014063647.tif 000003
【図２】
2014063647.tif 000004
【図３】
2014063647.tif 000005
【図４】
2014063647.tif 000006
【図５】
2014063647.tif 000007
【図６】
2014063647.tif 000008
【図７】
2014063647.tif 000009
【図８】
2014063647.tif 000010